(57)【要約】【課題】写真撮影において、被写体としての人物に、全然カメラを意識させず、自然なカメラブレのない良い写真が簡単に撮影できるようにする。【解決手段】帽子１の徽章５の中央に穴を空け、帽子１の前面裏側にデジタルカメラ２を取付け、徽章５の穴からデジタルカメラ２のレンズ２−２を覗かせる、鐔４の付け根裏側にシャッター釦６を取付け、鐔４の先端裏側に発光ダイオード７を取付ける。【選択図】　　　　　図１
2004080726.tif 000002
【特許請求の範囲】
【請求項１】
鐔つき帽子（１）の前部徽章（５）の裏側に小型デジタルカメラ（２）を固定し、鐔（４）先端裏側に適正露出表示用発光ダイオード（７）を設けるとともにシャッター釦（６）を鐔（４）の根元裏側に装置して該帽子（１）を着用し自然に両眼で被写体を見て鐔（４）先端の発光ダイオード（７）を中心に標準を合わせ撮影するようにしたことを特徴とする帽子装着型デジタルカメラ。
【請求項２】
帽子（１）の前面で中央に穴のあいた徽章（５）の裏側に装着用の取り付け枠（２−３）を設けてなる特許請求項の第１項に記載の帽子装着型デジタルカメラ。
【請求項３】
帽子（１）の鐔（４）先端裏側にファィンダーの代わりの照星を兼ねた露出の適不適表示用発光ダイオード（７）を設け、その発光ダイオードのリード線（８）を、鐔（４）の中を通し、帽子（１）前面裏側に配線しデジタルカメラ（２）の回路基板の発光ダイオードの回路に接続してなる特許請求の範囲第１項に記載の帽子装着型デジタルカメラ。
【請求項４】
電気的マイクロスイッチ（６−１）を内蔵したシャッター釦（６）を帽子の鐔（４）の根元裏側に取り付け、このスイッチに接続されたシャッター釦のリード線（９）を帽子の鐔（４）の中を通し帽子前面裏側に配線しデジタルカメラ（２）の回路基板のシャッター回路に接続してなる特許請求の範囲第１項に記載の帽子装着型デジタルカメラ。
【請求項５】
カメラにＦ２．８・ｆ＝６ｍｍ前後のレンズ（２−２）を装置した、イメージセンサーの面積が小さい３５万画素程度で、厚みが１０ｍｍ前後のデジタルカメラ（２）を使用してなる特許請求の範囲第１項ないし第２項に記載の帽子装着型デジタルカメラ。
【発明の詳細な説明】
【０００１】
【発明の属する技術分野】
本発明はデジタルカメラを額前面に保持して撮影する帽子装着型デジタルカメラに関する物である。
【０００２】
【従来の技術】
従来の方法、例えば、特公昭５７−５２０３９のように、頭上保持型カメラの場合ヘルメット等の上部前方にカメラ装着用の突出枠を設けてカメラを保持し、そしてヘルメット等の鐔に眼鏡のようなファィンダーを取り付け、カメラのシャッター釦の上にテコを設け、そこからワイヤーレリーズをぶら下げて、レリーズを押す事でシャッターを切る用にしている。
又、特公平１０−３９４０７のように、頭上保持型カメラの場合、帽子等の上部前方にカメラを装着し、カメラ背面と平行に取り付けられた駆動モーター及び軸や巻上部材を設け、その回転軸を傘歯車で９０°方向を変換し、その先端の風車型の回転部材でシャッター釦を押して撮影する仕組になっているカメラ自動巻上げ撮影装置である。
【０００３】
【発明が解決しようとする課題】
特公昭５７−５２０３９のように、頭上保持型カメラの場合、帽子等の前面外側に市販のカメラを外付けする為、寸法も大きく重量も可成りある、この帽子等を着用した場合、帽子の前部が重くバランスも悪く不安定であり、頭は動かないが、帽子とカメラが一緒に動いてしまい、これでは可成りブレが出てしまう。
また帽子の鐔の下に、眼鏡のようなファィンダーを付けているがこれでは問題がある、普通のレンジファィンダーのカメラでも近距離では可成りパララックスが出てしまうのに、鐔下の位置のファィンダーでは、レンジファィンダーカメラの５倍以上のパララックスが出てしまい使い物にならない。
そして顔面横等にワイヤーレリーズをぶら下げ、カメラのシャッター釦の上に取り付けられたシーソー型のテコの片端を、ワイヤーレリーズを押す事でその先端に出る棒状の部分の先で押し、テコの反対側の先端でカメラのシャッターを切る、この機構では力や寸法的な点でロスが多すぎる、その上ストロークの調整機構が無い為、ストロークの切れ始めが少ない場合、シャッターを押し切れないものが出たり、ストロークがバラツイたり、時間的ずれが出る為、一瞬のシャッターチャンスを逃がしてしまう、またカメラを頭上に保持する事から考えた場合、重量及び大きさの点で、一眼レフカメラは使えない為、その他の機種を使用する事になるが、それらのカメラではシャッター音が小さく、シャッターが切れたかどうかが解りずらく、露出の適不適も確認出来ない事が多くなる。
そして、カメラを帽子等の外側に付けて、長いワイヤーレリーズを顔面横等にぶら下げていては、被写体が人物の場合、この物々しい格好に相手が緊張してしまい、自然な写真が撮れないという問題点があった。
又、特公平１０−３９４０７の場合であるが、普通の自動巻上げのカメラは、シャッターが切れた次の瞬間にフィルムを巻上げ、いつでもシャッターが切れる状態になっている為、シャッター釦を押せばその瞬間にシャッターが切れる。ところが、この特公平１０−３９４０７の発想では、リモコンのスイッチを押し、駆動モーターを回転させ、フィルムの巻上げを完了させた後にシャッターが切れる、この方式では、リモコンのスイッチを押してからシャッターが切れる迄にタイムラグが発生してしまい、これでは決定的瞬間のシャッターチャンスを逃がしてしまう。
また、この風車型の回転部材でシャッターを切るとあるが、この図から見ると９０°回転する毎に１回シャッターが切れる機構になっているが、通常のカメラの巻上げ角度は、各機種毎に異なるが大体１８０°〜３６０°である為、この図面から推測されるギャ比は略１：１である為、この機構では巻上げが完了する前にシャッターが押されてしまう、普通のカメラの場合、フィルムの巻上げが完了しなければシャッターは切れないので、このフィルムの巻上げに連動してシャッターを切る機構は可成りの無理がある。
そして、巻上げ開始はリモコンで行うとあるが、巻上げ完了の信号はキャッチしておらず、駆動モーターを止めてないので、フィルム巻上げとシャッター釦を押すタイミングが完全にズレてしまう。
また、帽子等の鐔にネジあるいは結束バンドでカメラを取付けるとあるが、フィルムの巻上げトルクは可成り大きなもので、特にパトローネの関係で最初の巻始めの数枚が大変重くなる為、この程度の機構では、カメラの巻上げ機構に接触させる駆動モーターと同軸のギヤーが逃げてしまい、空回りして巻上げ不能になる可能性が大きい。
また、フィルムの巻上げには可成りの大きなトルクが必要な為、この駆動モーターを回転させる為には可成りの電気的エネルギーが必要であり、帽子の両側に取り付けるとバッテリーも可成りの重い物になってしまい、帽子装着時には可成の違和感を感じる事になると思う。
そして、各種のカメラを取り付けて撮影出来るとあるが、現在のカメラメーカーで生産されるカメラは各機種毎に、本体のサイズ、巻上げ機構の位置、シャッターの位置、高さ等が全て異なると言っても過言でない状態である為、この装置ではカメラを交換して使用する事は殆ど不可能出ある。
【０００４】
本発明は、上記特公昭５７−５２０３９のようなカメラ装着型帽子を無造作に被った場合でも、カメラがより確実に額に密着し、重さや大きさの点でも、違和感も不安定さも無くし、完全にブレの無い写真が撮影出来る装置にする事。
また、ファィンダーは、上記のように通常のレンジファィンダー式カメラの５倍以上のパララックスがある為、各自が撮影テストで、そのコツを掴むよりなく、その時の指標としての照星を設ける、またシャッターもストロークのバラツキが全然無く、完全にタイムラグを無くし、シャッター釦を押した瞬間にシャッターが切れ、シャッターチャンスを逃がさない装置にする、また、その場の露出の適不適と撮影されたかどうか確実に解るように見えやすい所に表示部分を付ける、そして、被写体が人物である場合、正面から撮影しても相手に全然きづかれず、完全に自然な写真が撮れる装置を得る事を目的としている。
【０００５】
【課題を解決するための手段】
上記目的を達成する為に、本発明の帽子装着型デジタルカメラにおいては帽子前面裏側にデジタルカメラを取り付け、帽子の鐔根元裏側にシャッター釦を取り付ける、また、鐔の先端裏側に露出の適不適及び撮影完了を表示する発光ダイオードを取り付ける、そして、帽子の徽章の中央に穴をあけ、帽子前面裏側に取り付けられたデジタルカメラのレンズをその穴から覗かせて、外観からは完全にただの帽子にしか見えないようにしたものである。
【０００６】
上記帽子へのデジタルカメラの取り付け位置は、帽子の前面裏側で、この場所に取り付け枠を設け、レンズの焦点距離が６ｍｍ前後の３５万画素程度で本体の厚みが１０ｍｍ・重量３５ｇ程度のデジタルカメラをレンズを外側に、中央に穴を空けた徽章の穴からレンズを覗かせるように取り付ける。
この取り付け位置であれば、帽子と額の間にカメラが軽く挟まる為、非常に安定し確実に手振れの無い写真が撮影出来る。
【０００７】
そして、撮影時のパララックスを頭に入れて、撮影範囲を掴む為の指標は、露出適不適表示部を兼ねた発光ダイオードの照星を、鐔先端の中心の裏側に付ける、そして、この照星をもとに、被写体との距離毎の狙い所のコツを掴めるようにする。
【０００８】
またシャッター釦の取り付け位置は、帽子の鐔の根元裏側で、鐔の裏地に穴を空け、その中へスイッチを内蔵したシャッター釦を、釦座が半分埋まるように取り付ける、また、釦に内蔵されたスイッチの端子に接続されたリード線を鐔の中を通して帽子前面裏側に出して配線し、デジタルカメラの基板のシャッター回路に接続する。
このシャッター機構であれば、釦を押した瞬間にシャッターが切れ、シャッターチャンスを逃がす事なく良い写真が撮れる。
【０００９】
また露出適不適表示の発光ダイオードの取り付け位置は、帽子の鐔先端中央裏側に穴を空け、発光ダイオードの保持部を埋め込み、発光ダイオードの３本の端子に接続されたリード線を鐔の中を通し帽子前面裏側に出して配線し、デジタルカメラの回路基板の発光ダイオードの回路に接続する。
【００１０】
そして、この帽子装着型デジタルカメラの最大の特徴は、外観上殆どカメラが見えず、唯一見えるものは帽子前面の徽章の中央に空いた直径７ｍｍの穴と、そここから覗く直径約２ｍｍのレンズのみである為、被写体である人物を正面から撮影しても殆ど気づかれることなく、完全に自然な日常的な生活そのものを撮影する事が出来る。
【００１１】
【発明の実施の形態】
発明の実施の形態を実施例にもとずき図面を参照して説明する。
図１において、帽子１前面の徽章５の中央に直径７ｍｍの穴を空ける、この徽章５の中央の穴の中心と取付台２−３の中央の穴の中心とを合わせながら取付台２−３を、帽子１の前面裏側に接着剤で固定する。そして、取付台２−３の中央の穴とデジタルカメラ２の鏡胴２−１及びレンズ２−２の中心を合わせ、デジタルカメラ２を、取付台２−３にネジで固定する、また、バッテリーケース３を、帽子１前面裏側上部に接着剤で固定する、また、ファィンダーの代りの照星を兼ねた発光ダイオード７を、帽子１の鐔４の先端中央裏側に、発光ダイオードのリード線８を鐔４の中を通しながら、半分程度埋込む、そして、鐔４の中を通した発光ダイオードのリード線８は帽子１の前面裏側に出し、デジタルカメラ２の回路基板の発光ダイオードの回路に接続する、また、シャッター釦６のシャッター釦座６−２を、帽子１の鐔４の根元裏側に、シャッター釦のリード線９を鐔４の中を通しながら、２／３程度埋込む、また、鐔４の中を通したシャッター釦のリード線９は帽子１の前面裏側に出し、デジタルカメラ２の回路基板のシャッター回路に接続する。
【００１２】
図２は、図１を正面外側から見た図であり、デジタルカメラ２の取付け位置を鎖線で示している、また、同じくバッテリーケース３の位置と発光ダイオードのリード線８、シャッター釦のリード線９及びバッテリーケースのリード線１０も鎖線で示している、そして、発光ダイオード７とシャッター釦６の正面から見た位置も示している、また、帽子１の徽章５の穴とデジタルカメラの鏡胴２−１とレンズ２−２の位置もこの図の通り出ある。
【００１３】
図３は、発光ダイオード７及び発光ダイオードのリード線８の鐔４への組込み方を説明したものである。
【００１４】
図４は、シャッター釦６とシャッター釦座６−２及び、中のマイクロスイッチ６−１とシャッター釦のリード線９の鐔４への組込み方を説明したものである。
【００１５】
図５は、デジタルカメラ２とシャッター釦のリード線９及び発光ダイオードのリード線８とバッテリーケースのリード線１０の配線を示した物である。
【００１６】
【発明の効果】
本発明は、以上説明したように構成されているので、以下に記載されているような効果を奏する。
【００１７】
この帽子装着型デジタルカメラは、徽章の中央の直径７ｍｍ程度の穴と、その穴から覗く直径２ｍｍのレンズが見えるだけで、それ以外は全く普通の帽子と変わらない為、被写体が人間の場合、相手には全然気付かれる事なく、確実に自然な、ありのままの写真が撮影出来る。
【００１８】
また、この帽子装着型デジタルカメラは、外見は全く普通の帽子であり、重量はカメラの本体とバッテリーケース及び単４の乾電池を入れても、僅か４５ｇで、本体の厚みも１０ｍｍである為、常時着用しても何ら違和感を感じる事なく、何時、何処でも着用したまま普通の作業が出来る、これは、新聞記者や警察官等の記録写真の撮影にも活用出来る。
【００１９】
また、帽子の鐔根元裏側にシャッター釦が埋込まれている為、この帽子を着用して顔を被写体に向け、両眼で自然にその被写体を見て、何げない素振りで、帽子の鐔の端を摘まむ程度の動作で簡単に撮影が出来る。
【００２０】
また、帽子の鐔先端中央裏側に設けられた発光ダイオードを照星として被写体に狙いを付け、パララックスを計算しながら、簡単に被写体の撮影範囲を決める事が出来る。
そして、この発光ダイオードが、緑に発光すれば適正露出で撮影された事がわかり、赤に発光すれば露出不足で撮影出来なかった事が確認出来る。
【００２１】
また、このデジタルカメラは、帽子前面の裏側に固定されており、帽子と額の間に適当な強さで挟まる為、確実に固定されており、シャッター釦も親指と人差し指で軽く挟むような動作で押せ、且つ、鐔を押さえ込むような機構で、シャッターの押し方としては理想的な形である、この為、三脚なしで完全にブレのない写真を撮影出来る。
また、シャッター釦はマイクロスイッチを使用した電気的な構造の為、タイムラグが全然なく、確実に一瞬のシャッターチャンスを逃す事なく、決定的瞬間を捕らえた良い写真が撮影出来る。
【図面の簡単な説明】
【図１】帽子装着型デジタルカメラの側面の断面図である。
【図２】帽子装着型デジタルカメラの正面図である。
【図３】帽子鐔先端裏側の発光ダイオード取付け部の断面図である。
【図４】帽子鐔根元裏側のシャッター釦取付け部の断面図である。
【図５】デジタルカメラから分離された各部品への実体配線図である。
【符号の説明】
１　　　帽子
２　　　デジタルカメラ
２−１　カメラの鏡胴
２−２　カメラのレンズ
２−３　取り付け枠
３　　　バッテリーケース
４　　　帽子の鐔
５　　　帽子の徽章
６　　　シャッター釦
６−１　マイクロスイッチ
６−２　シャッター釦座
７　　　発光ダイオード
８　　　発光ダイオードのリード線
９　　　シャッター釦のリード線
１０　　バッテリーケースのリード線
【図１】
2004080726.tif 000003
【図２】
2004080726.tif 000004
【図３】
2004080726.tif 000005
【図４】
2004080726.tif 000006
【図５】
2004080726.tif 000007